(57)【要約】      （修正有）【課題】パーソナルコンピュータのユーザに煩わしい手間を課すことなく、電子メールを受信して電子メールおよび添付画像ファイルを印刷可能なファクシミリ装置をパーソナルコンピュータ用のプリンタとして使用できるようにすることができるファクシミリ装置を提供する。【解決手段】パーソナルコンピュータ１０のアプリケーション１２の印刷出力に含まれる電子メールおよび画像ファイル以外のファイルを画像ファイルに変換する画像ファイル変換部２２と、画像ファイル変換部２２からの画像ファイルを添付した電子メールを作成してファクシミリ装置３０ａをあて先として送信する画像転送部２３とを有している。【選択図】図１
2010081476.tif 000002
【特許請求の範囲】
【請求項１】
電子メールを受信して電子メールとその添付画像ファイルを印刷可能なファクシミリ装置にネットワークを介して接続されたパーソナルコンピュータに適用され、該パーソナルコンピュータが該ファクシミリ装置をプリンタとして使用できるようにする印刷出力装置において、
パーソナルコンピュータのアプリケーションの印刷出力に含まれる電子メールおよび画像ファイル以外のファイルを画像ファイルに変換する画像ファイル変換部と、
画像ファイルを添付した電子メールを作成して前記ファクシミリ装置を前記ネットワーク上のあて先として送信する画像転送部とを有することを特徴とする印刷出力装置。
【請求項２】
印刷出力に含まれるファイル種を電子メールおよび画像ファイルと、それ以外とに判別し、電子メールおよび画像ファイルを前記画像転送部に出力する一方、それ以外のファイルを前記画像ファイル変換部に出力するファイル種判別部をさらに有している請求項１に記載の印刷出力装置。
【請求項３】
前記ファイル種判別部は、印刷出力に含まれるファイル種を電子メールと、画像ファイルと、それ以外とに判別するものであり、
前記画像転送部は、前記ファイル種判別部から電子メールが入力されないときは、作成する電子メール中に前記ファクシミリ装置に対して添付画像ファイルのみを印刷するように指示する情報を埋め込む請求項２に記載の印刷出力装置。
【請求項４】
前記画像転送部は、前記アプリケーションの印刷出力があったときに前記ネットワークに接続されているファクシミリ装置を電子メールのあて先として検索する装置検索部を備えている請求項１乃至３のいずれか１つに記載の印刷出力装置。
【請求項５】
請求項１乃至４のいずれか１つに記載の印刷出力装置が適用された前記パーソナルコンピュータと、前記ネットワークと、前記ファクシミリ装置とを有する印刷システム。
【請求項６】
電子メールを受信して電子メールとその添付画像ファイルを印刷可能なファクシミリ装置にネットワークを介して接続されたパーソナルコンピュータに適用され、該パーソナルコンピュータが該ファクシミリ装置をプリンタとして使用できるようにする印刷出力方法において、
パーソナルコンピュータのアプリケーションの印刷出力に含まれる電子メールおよび画像ファイル以外のファイルを画像ファイルに変換する画像ファイル変換工程と、
画像ファイルを添付した電子メールを作成して前記ファクシミリ装置を前記ネットワーク上のあて先として送信する画像転送工程とを有することを特徴とする印刷出力方法。
【請求項７】
印刷出力に含まれるファイル種を電子メールおよび画像ファイルと、それ以外とに判別し、電子メールおよび画像ファイルの場合には前記画像転送工程に移行する一方、それ以外のファイルの場合には前記画像ファイル変換工程に移行するファイル種判別工程をさらに有している請求項６に記載の印刷出力方法。
【請求項８】
前記ファイル種判別工程においては、印刷出力に含まれるファイル種を電子メールと、画像ファイルと、それ以外とに判別するものであり、
前記画像転送工程は、前記ファイル種判別工程における判別結果に電子メールが無いときは、作成する電子メール中に前記ファクシミリ装置に対して添付画像ファイルのみを印刷するように指示する情報を埋め込む工程を含む請求項７に記載の印刷出力方法。
【請求項９】
前記画像転送工程は、前記アプリケーションの印刷出力があったときに前記ネットワークに接続されているファクシミリ装置を電子メールのあて先として検索する装置検索工程を含む請求項６乃至８のいずれか１つに記載の印刷出力方法。
【請求項１０】
演算手段、記憶手段、およびネットワークインターフェースを有するパーソナルコンピュータの該演算手段に動作を指示するプログラムであって、電子メールを受信して電子メールとその添付画像ファイルを印刷可能なファクシミリ装置に前記ネットワークインターフェースおよびネットワークを介して接続されたパーソナルコンピュータに適用され、該パーソナルコンピュータが該ファクシミリ装置をプリンタとして使用できるようにする印刷出力プログラムにおいて、
パーソナルコンピュータのアプリケーションの印刷出力に含まれる電子メールおよび画像ファイル以外のファイルを画像ファイルに変換する画像ファイル変換工程と、
画像ファイルを添付した電子メールを作成して前記ファクシミリ装置を前記ネットワーク上のあて先として、前記ネットワークインターフェースを介して送信する画像転送工程とを前記演算手段に実行させることを特徴とする印刷出力プログラム。
【請求項１１】
印刷出力に含まれるファイル種を電子メールおよび画像ファイルと、それ以外とに判別し、電子メールおよび画像ファイルの場合には前記画像転送工程に移行する一方、それ以外のファイルの場合には前記画像ファイル変換工程に移行するファイル種判別工程をさらに前記演算手段に実行させる請求項１０に記載の印刷出力プログラム。
【請求項１２】
前記ファイル種判別工程においては、印刷出力に含まれるファイル種を電子メールと、画像ファイルと、それ以外とに前記演算手段が判別するものであり、
前記画像転送工程は、前記ファイル種判別工程における判別結果に電子メールが無いときは、作成する電子メール中に前記ファクシミリ装置に対して添付画像ファイルのみを印刷するように指示する情報を埋め込む工程を含む請求項１１に記載の印刷出力プログラム。
【請求項１３】
前記画像転送工程は、前記アプリケーションの印刷出力があったときに前記ネットワークに接続されているファクシミリ装置を電子メールのあて先として検索する装置検索工程を含む請求項１０乃至１２のいずれか１つに記載の印刷出力プログラム。
【発明の詳細な説明】
【技術分野】
【０００１】
本発明は、電子メールを受信して電子メールおよび添付画像ファイルを印刷可能なファクシミリ装置にネットワークを介して接続されたパーソナルコンピュータに適用され、パーソナルコンピュータがファクシミリ装置をプリンタとして使用できるようにする印刷出力装置に関する。
【背景技術】
【０００２】
本出願人等は、ＬＡＮ（Local Area Network）を経由したインターネットを介してパーソナルコンピュータ等から電子メールを受信し、受信した電子メールおよびこれに添付された画像ファイルを印刷可能なファクシミリ装置を既に提案している。尚、このファクシミリ装置は、主に家庭や小売店などで使用されることを想定したものであって、比較的簡素、小型、低価格であり、所謂ビジネス用の大型、複雑、高価な複合機、ネットワークプリンタ機能付きファクシリミリ装置、あるいはファクシミリ機能付きネットワークプリンタ等の装置とは異なる。
【０００３】
この種のファクシリミリ装置を使用して、パーソナルコンピュータのメーラ以外の例えばワードプロセッサ等のアプリケーションで作成された画像ファイル以外の文書ファイル等の印刷を行う場合は、パーソナルコンピュータの画像変換用プリンタドライバ等によって文書データ等が一旦ＴＩＦＦ（Tagged Image File Format）ファイル等の画像ファイルに変換され、次に、メーラによって電子メールが作成され、この作成においては電子メールには先ほどの画像ファイルが添付され、画像ファイルが添付された電子メールがファクシミリ装置を宛先に指定された上で送信される。一方、ファクシミリ装置において、画像ファイルが添付された電子メールが受信され、電子メールと画像ファイル、または、画像ファイルのみが印刷される。
【０００４】
尚、パーソナルコンピュータとファクシミリ装置が同一家屋内に設置されて同一ユーザによって使用されている場合と、個別の家屋に設置されて個別のユーザによって使用されている場合とがある。いずれにしても、パーソナルコンピュータのユーザは、ファクシミリ装置をプリンタとして使用して電子メールファイルや画像ファイル以外のファイルを印刷する場合、上述のように幾段階ものステップを踏まねばならず、その手間は煩雑なものであった。
【０００５】
このような印刷出力に関する技術は、例えば、特許文献１、２に開示されている。特許文献１には、印刷出力やファクシミリ送信などの機能をパーソナルコンピュータによって実行させるためのコンピュータプログラムが開示されている。また、特許文献２には、ファクシミリ装置のプリンタ機能を利用することにより、パーソナルコンピュータ等に専用のプリンタを不要とする技術が開示されている。
【０００６】
【特許文献１】特開２００８−１３１１３１号公報
【特許文献２】特開平０６−２９１８０４号公報
【発明の開示】
【発明が解決しようとする課題】
【０００７】
特許文献１および２のどちらも、特定のアプリケーションや装置の出力ファイルをファクシミリ通信用の画像データに変換してファクシミリ装置に対して出力する手段を有しているものの、そのファクシミリ装置としては、電子メールを受信して電子メールおよび添付画像ファイルを印刷可能なファクシミリ装置を想定していない。
【０００８】
それ故、本発明の課題は、パーソナルコンピュータのユーザに煩わしい手間を課すことなく、電子メールを受信して電子メールおよび添付画像ファイルを印刷可能なファクシミリ装置をパーソナルコンピュータ用のプリンタとして使用できるようにする印刷出力装置を提供することである。
【課題を解決するための手段】
【０００９】
本発明によれば、電子メールを受信して電子メールとその添付画像ファイルを印刷可能なファクシミリ装置にネットワークを介して接続されたパーソナルコンピュータに適用され、該パーソナルコンピュータが該ファクシミリ装置をプリンタとして使用できるようにする印刷出力装置において、パーソナルコンピュータのアプリケーションの印刷出力に含まれる電子メールおよび画像ファイル以外のファイルを画像ファイルに変換する画像ファイル変換部と、画像ファイルを添付した電子メールを作成して前記ファクシミリ装置を前記ネットワーク上のあて先として送信する画像転送部とを有することを特徴とする印刷出力装置が得られる。
【００１０】
印刷出力に含まれるファイル種を電子メールおよび画像ファイルと、それ以外とに判別し、電子メールおよび画像ファイルを前記画像転送部に出力する一方、それ以外のファイルを前記画像ファイル変換部に出力するファイル種判別部をさらに有していてもよい。
【００１１】
前記ファイル種判別部は、印刷出力に含まれるファイル種を電子メールと、画像ファイルと、それ以外とに判別するものであり、前記画像転送部は、前記ファイル種判別部から電子メールが入力されないときは、作成する電子メール中に前記ファクシミリ装置に対して添付画像ファイルのみを印刷するように指示する情報を埋め込むものであってもよい。
【００１２】
前記画像転送部は、前記アプリケーションの印刷出力があったときに前記ネットワークに接続されているファクシミリ装置を電子メールのあて先として検索する装置検索部を備えていてもよい。
【００１３】
また、本発明によれば、前記印刷出力装置が適用された前記パーソナルコンピュータと、前記ネットワークと、前記ファクシミリ装置とを有する印刷システムが得られる。
【００１４】
さらに、本発明によれば、電子メールを受信して電子メールとその添付画像ファイルを印刷可能なファクシミリ装置にネットワークを介して接続されたパーソナルコンピュータに適用され、該パーソナルコンピュータが該ファクシミリ装置をプリンタとして使用できるようにする印刷出力方法において、パーソナルコンピュータのアプリケーションの印刷出力に含まれる電子メールおよび画像ファイル以外のファイルを画像ファイルに変換する画像ファイル変換工程と、画像ファイルを添付した電子メールを作成して前記ファクシミリ装置を前記ネットワーク上のあて先として送信する画像転送工程とを有することを特徴とする印刷出力方法が得られる。
【００１５】
さらにまた、本発明によれば、演算手段、記憶手段、およびネットワークインターフェースを有するパーソナルコンピュータの該演算手段に動作を指示するプログラムであって、電子メールを受信して電子メールとその添付画像ファイルを印刷可能なファクシミリ装置に前記ネットワークインターフェースおよびネットワークを介して接続されたパーソナルコンピュータに適用され、該パーソナルコンピュータが該ファクシミリ装置をプリンタとして使用できるようにする印刷出力プログラムにおいて、パーソナルコンピュータのアプリケーションの印刷出力に含まれる電子メールおよび画像ファイル以外のファイルを画像ファイルに変換する画像ファイル変換工程と、画像ファイルを添付した電子メールを作成して前記ファクシミリ装置を前記ネットワーク上のあて先として、前記ネットワークインターフェースを介して送信する画像転送工程とを前記演算手段に実行させることを特徴とする印刷出力プログラムが得られる。
【発明の効果】
【００１６】
本発明による印刷出力装置は、パーソナルコンピュータのユーザに煩わしい手間を課すことなく、電子メールを受信して電子メールおよび添付画像ファイルを印刷可能なファクシミリ装置をパーソナルコンピュータ用のプリンタとして使用できるようにすることができる。
【発明を実施するための最良の形態】
【００１７】
本発明による印刷出力装置は、電子メールを受信して電子メールとその添付画像ファイルを印刷可能なファクシミリ装置にネットワークを介して接続されたパーソナルコンピュータに適用され、パーソナルコンピュータがファクシミリ装置をプリンタとして使用できるようにする印刷出力装置である。
【００１８】
特に、本印刷出力装置は、パーソナルコンピュータのアプリケーションの印刷出力に含まれる電子メールおよび画像ファイル以外のファイルを画像ファイルに変換する画像ファイル変換部と、変換された画像ファイルおよび／または印刷出力に含まれる画像ファイルを添付した電子メールを作成してファクシミリ装置をネットワーク上のあて先として送信する画像転送部とを有している。
【００１９】
このような構成により、本印刷出力装置は、パーソナルコンピュータのユーザに煩わしい手間を課すことなく、電子メールを受信して電子メールおよび添付画像ファイルを印刷可能なファクシミリ装置をパーソナルコンピュータ用のプリンタとして使用できるようにすることができる。
【実施例】
【００２０】
以下、図面を参照して、本発明の実施例を説明する。
【００２１】
［実施例１］
本発明の実施例１による印刷出力装置２０は、図１を参照すると、ネットワーク４０を介してファクシミリ装置３０（３０ａ、３０ｂ、３０ｃ・・・）に接続されたパーソナルコンピュータ１０に適用される。尚、ファクシミリ装置３０は、電子メールを受信して電子メールとその添付画像ファイルを印刷可能なものである。また、ネットワーク４０は、ＬＡＮもしくはＬＡＮを経由したインターネットであり、データ送受プロトコルとしてＨＴＴＰ（HyperText Transfer Protocol）が採用されている。そして、本発明による印刷システムは、図１の印刷出力装置２０が適用されたパーソナルコンピュータ１０と、ネットワーク４０を介して接続されたファクシミリ装置３０との組み合わせによって構成されている。
【００２２】
印刷出力装置２０は、パーソナルコンピュータ１０のアプリケーション１２からの印刷命令に応じて動作するものであって、ワードプロセッサ等のアプリケーション１２の印刷出力に含まれる電子メールおよび画像ファイル以外の文書ファイル等のファイルを画像ファイルに変換する画像ファイル変換部２２と、画像ファイル変換部２２からの画像ファイルや印刷出力に含まれる画像ファイルを添付した電子メールを作成してファクシミリ装置３０をあて先として送信する画像転送部２３とを有している。
【００２３】
印刷出力装置２０はさらに、アプリケーション１２からの印刷出力に含まれるファイル種を電子メール（電子メールをプリントアウトする場合）および画像ファイルと、それ以外とに判別し、画像ファイルに変換不要な電子メールおよび画像ファイルを画像転送部２３に出力する一方、それ以外の画像ファイルに変換必要な文書ファイル等のファイルを画像ファイル変換部２２に出力するファイル種判別部２１をさらに有している。ファイル種判別部２１は、例えば、印刷出力に含まれるファイルの拡張子に基づいてファイル種を判別する。
【００２４】
尚、図示はしないが、ファイル種判別部２１を、印刷出力に含まれるファイル種を電子メールと、画像ファイルと、それ以外との三種に判別するものとすると共に、画像転送部２３を、ファイル種判別部２１から電子メールが入力されないとき（即ち、印刷出力が電子メールの印刷以外であるとき）は、画像転送部２３によって作成する電子メール中に、ファクシミリ装置３０に対して添付画像ファイルのみを印刷するように指示する情報を埋め込んでもよい。一方、ファクシミリ装置３０には、受信する電子メール中にそのような情報が埋め込まれている場合には、電子メール文面は印刷せずに添付画像ファイルのみを印刷するように、予め設定しておく。このように構成することにより、電子メール以外のファイルのみを印刷したい場合に所謂空メールをも印刷するといった無駄を省くことができる。尚、情報の埋め込みとしては、例えば、ファクシミリ装置に対して送信する電子メールを画像転送部２３が作成するときに、メールの件名に「ｐｒｉｎｔ」等の所定のキーワードを記載するなどが考えられる。
【００２５】
図２を参照すると、画像転送部２３は、画像ファイル変換部２２（図１）が出力する画像ファイルおよび／またはファイル種判別部２１（図１）が出力する電子メールおよび画像ファイルを図示しない一時保存手段に保存するファイル管理部２３１と、印刷出力装置２０（パーソナルコンピュータ１０）のユーザが予め指定したプリンタとして用いようとする一台または複数台のファクシミリ装置３０の（ユーザの）電子メールアドレスをネットワーク制御部２３２から送信する電子メールのあて先として図示しないメモリに予め記憶させる出力先設定部２３３と、ファイル管理部２３１からの画像ファイルを添付すると共に、あて先として出力先設定部２３３から通知されたファクシミリ装置３０の電子メールアドレスを入力して電子メールを作成する電子メール作成部２３４と、電子メール作成部２３４が作成した電子メールまたはファイル管理部２３１からの電子メールをパーソナルコンピュータ１０にネットワーク４０を介して接続されたファクシミリ装置３０に電子メールを送信するネットワーク制御部２３２とを備えている。尚、電子メールのあて先としては、ファクシミリ装置を特定できればよく、電子メールアドレスに限らず、例えばＩＰアドレス等であってもよい。
【００２６】
尚、実際の電子メールの送受として、ファクシミリ装置３０が対応するＰＯＰサーバにアップロードされ、ファクシミリ装置３０がＰＯＰサーバからダウンロードする工程であってもよい。ただし、この場合には、レスポンスよく印刷を行うために、ＰＯＰサーバにメールが届いた時点でファクシミリ装置３０に通知がなされ、その通知がなされたファクシミリ装置３０は即ダウンロードするか、ファクシミリ装置３０が短時間でメールチェックを繰り返すように設定しておくことが好ましい。
【００２７】
以上説明した本印刷出力装置２０は、その各部がパーソナルコンピュータ１０のハードウエア構成とは個別または一部を共通としたハードウエアによって構築されるか、あるいは、パーソナルコンピュータ１０のＣＰＵ、ハードディスクドライブや半導体記憶デバイス等のストレージ手段、ＲＡＭ等の一時記憶手段、ＬＡＮアダプタ等のネットワークインターフェース等のハードウエア資源を利用してＣＰＵに装置各部の動作を実行させるための、ストレージ手段に記憶されたコンピュータプログラム（印刷出力プログラム）とハードウエア資源との組み合わせによって構築されてもよい。
【００２８】
一方、図３を参照すると、ファクシミリ装置３０は、電子メールの受信手段および電子メールおよび添付画像ファイルの印刷手段として、ファクシミリ装置３０全体の動作を司る主制御部３１と、ネットワーク４０を介して送られてくる電子メールを監視し、検出した電子メールをファイル管理部３２に出力するネットワーク制御部３３と、ネットワーク制御部３３から入力された電子メールを図示しないメモリに保存させると共に電子メール受信の旨を主制御部３１に通知するファイル管理部３２と、ファイル管理部３２によってメモリに保存された電子メールおよび添付画像ファイルをファクシミリ印刷可能な印刷出力データに変換する画像処理部３４と、画像処理部３４からの印刷出力データを図示しないプリンタ部によってファクシミリ用紙に印刷させる印刷制御部３５とを有している。尚、図示は省略しているが、ファクシミリ装置３０は、一般的なファクシミリ装置としての構成要素をも有している。
【００２９】
次に、図１〜図３を参照して、印刷出力装置２０を含む本実施例の印刷システムの動作を説明する。
【００３０】
尚、ファクシミリ装置３０ｂがプリンタとして画像転送部２３の出力先設定部２３３により予め設定されているものとする。
【００３１】
いま、パーソナルコンピュータ１０のユーザは、アプリケーション１２としてのワードプロセッサで文書を作成完了し、ユーザーインターフェースを介して文書ファイルの印刷を指示すると、アプリケーション１２から印刷出力がなされる。
【００３２】
印刷出力装置２０のファイル種判別部２１は、アプリケーション１２からの印刷出力に含まれるファイル種を、電子メールおよび画像ファイルと、それ以外とに判別する。今回は文書ファイルであるため、画像ファイル変換部２２に出力する。
【００３３】
画像ファイル変換部２２は、ファイル種判別部２１からの文書ファイルを画像ファイルに変換し、画像転送部２３に出力する。
【００３４】
画像転送部２３のファイル管理部２３１は、画像ファイル変換部２２からの画像ファイルを図示しない一時保存に保存する。
【００３５】
電子メール作成部２３４は、出力先設定部２３３から通知を受けたファクシミリ装置３０ｂの（ユーザの）電子メールアドレスをあて先とすると共に、一時保存されている画像ファイルを添付して電子メールを作成し、ネットワーク制御部２３２に出力する。
【００３６】
ネットワーク制御部２３２は、電子メール作成部２３４が作成した電子メールを、パーソナルコンピュータ１０に備えられた図示しないネットワークアダプタおよびネットワーク４０を介してファクシミリ装置３０ｂに電子メールを送信する。
【００３７】
電子メールを受信したファクシミリ装置３０ｂのネットワーク制御部３３は、ファイル管理部３２に電子メールを出力する。
【００３８】
ファイル管理部３２は、ネットワーク制御部３３から入力された電子メールを、図示しないメモリに一時保存させると共に、電子メール受信の旨を主制御部３１に通知する。
【００３９】
画像処理部３４は、ファイル管理部３２によってメモリに一時保存された電子メールおよび添付画像ファイルを、ファクシミリ印刷可能な印刷出力データに変換する。
【００４０】
印刷制御部３５は、画像処理部３４からの印刷出力データを、図示しないプリンタ部によってファクシミリ用紙に印刷させる。
【００４１】
以上のようにして、アプリケーション１２としてのワードプロセッサで作成され、印刷指示された文書ファイルが、ファクシミリ装置３０ｂによって印刷された。
【００４２】
［実施例２］
本発明の実施例２による印刷出力装置は、その画像転送部が装置検索部を有している点が実施例１と異なり、それ以外の構成は実施例１と同一または同様である。このため、実施例１と同一部または同様部については、図示ならびに説明を省略する。
【００４３】
図４に示されるように、本発明の実施例２による印刷出力装置における画像転送部２３’は、アプリケーション１２の印刷出力（図１）があったときに、ネットワーク４０上に接続されているファクシミリ装置３０（３０ａ、３０ｂ、３０ｃ・・・）を電子メールのあて先として検索し、出力先設定部２３３に通知する装置検索部２３５を備えている。通知を受けた出力先設定部２３３は、ネットワーク４０上に接続されている一台または複数台のファクシミリ装置３０の（ユーザの）電子メールアドレスをネットワーク制御部２３２から送信すべき電子メールのあて先として図示しないメモリに予め記憶させる。装置検索部２３５によるファクシミリ装置の検索には、例えば、ＵＤＰ（User Datagram Protocol）が採用される。
【００４４】
本発明の実施例２による印刷出力装置によれば、プリンタとして使用しようとするファクシミリ装置をユーザが予め設定する必要がなく、印刷出力装置が自動的に印刷先を検出し、印刷することが可能となる。
【産業上の利用可能性】
【００４５】
以上説明した実施例に限定されることなく、本発明は、当該特許請求の範囲に記載された技術範囲内であれば、種々の変形が可能であることは云うまでもない。
【図面の簡単な説明】
【００４６】
【図１】本発明の実施例１による印刷出力装置を含む印刷システムを示すブロック図である。
【図２】図１に示された印刷出力装置における画像転送部を示すブロック図である。
【図３】図１に示された印刷システムにおけるファクシミリ装置を示すブロック図である。
【図４】本発明の実施例２による印刷出力装置における画像転送部を示すブロック図である。
【符号の説明】
【００４７】
１０    パーソナルコンピュータ
１２    アプリケーション
２０    印刷出力装置
３０    ファクシミリ装置
３１    主制御部
３２    ファイル管理部
３３    ネットワーク制御部
３４    画像処理部
３５    印刷制御部
４０    ネットワーク
２１    ファイル種判別部
２２    画像ファイル変換部
２３、２３’  画像転送部
２３１  ファイル管理部
２３２  ネットワーク制御部
２３３  出力先設定部
２３４  電子メール作成部
２３５  装置検索部
【図１】
2010081476.tif 000003
【図２】
2010081476.tif 000004
【図３】
2010081476.tif 000005
【図４】
2010081476.tif 000006